(57)【要約】【課題】構造簡易で強靭な、かつ、熱橋を少なくし、結露も起こさない、外装材取付金具を提供すること。【解決手段】ブラケットとアジャスターとの組み合わせからなる外装材取付金具であって、前記ブラケットは、全体を下向きコの字型板状体とされ、前記下向きコの字型を構成する三辺として中央天板と両側板とからなる下方開放の板状体に形成されると共に、前記中央天板の下部内側にアジャスター取付ボルトをブラケットの水平方向開放部の一方に向けて一部突き出し状に固着しつつ、コの字型水平方向の他方開放部を閉塞するようにブラケットベースプレートを取り付け、前記アジャスターは、形状全体を横向きコの字型板状体とされ、ブラケットにアジャスター取付ボルトを介して着脱自在に取付けると共に、ブラケットとアジャスターが連動して位置決めしつつスライド調整するように構成したことを特徴とするブラケット・アジャスター組立体からなる外装材取付金具。【選択図】図5
0003164014.tif 000002
【実用新案登録請求の範囲】
【請求項１】
ブラケットと、アジャスターとの組み合わせからなる外装材取付金具であって、
前記ブラケットは、全体を下向きコの字型板状体とされ、前記下向きコの字型を構成する三辺として中央天板と両側板とからなる下方開放の板状体に形成されると共に、前記中央天板の下部内側にアジャスター取付ボルトをブラケットの水平方向開放部の一方に向けて一部突き出し状に固着しつつ、コの字型水平方向の他方開放部を閉塞するようにブラケットベースプレートを取り付け、前記ブラケットベースプレートの中央部にブラケット取付ボルトとワッシャとの内ねじアンカーへのはめこみのための貫通孔を設けると共に、
前記アジャスターは、形状全体を横向きコの字型板状体とされ、前記横向きコの字型板状体を構成するものとしてブラケットにアジャスター取付ボルトを介して着脱自在に取付けると共に、前記横向きコの字型板状体は、中央側板と、中央側板の両側に一体成形された両側板とからなり、前記中央側板の中央部にアジャスター取付穴を設けると共に、前記アジャスター取付穴を通ずるアジャスター取付ボルトにボルト、ワッシャ、ナットを介することにより、アジャスターをブラケットにはめこみ一体化する構成とし、ブラケットとアジャスターが連動して位置決めしつつスライド調整するように構成したことを特徴とするブラケット・アジャスター組立体からなる外装材取付金具。
【請求項２】
前記ブラケットを少なくとも一個以上のボルト・ナット又はボルト・スプリングの組み合わせを介して、内ねじアンカーに固定することにより、ブラケット・アジャスター組立体を躯体に固定するようにしてブラケットの過重負荷強度を高めるように構成したブラケット・アジャスター組立体からなる請求項１に記載の外装材取付金具。
【請求項３】
前記アジャスターの横向きコの字型を構成する三辺を中央側板と、中央側板に隣接する両側板とし、前記中央側板の中央部に設けたアジャスター取付穴を横長ほぼ楕円状に形成することにより、アジャスター取付穴を通じてアジャスターの水平方向の移動又は微調整を可能とすることにより、胴縁材とブラケットとの不陸微調整を可能とするようにしたブラケット・アジャスター組立体からなる請求項１又は２に記載の外装材取付金具。
【請求項４】
前記アジャスターの横向きコの字型を構成する三辺を中央側板と、中央側板に隣接する両側板において、前記両側板のそれぞれに大小の穴部を各1個づつ設け、大の穴は横長ほぼ楕円形状とすることにより胴縁仮止め用ビス穴としアジャスターの不陸微調整に用いると共に、小の穴はほぼ円形状として胴縁固定用ビス穴とすることによりアジャスターの固定位置決めさせるようにしたブラケット・アジャスター組立体からなる請求項1又は２項のいずれか１項に記載の外装材取付金具。
【請求項５】
前記ブラケットをステンレス鋼製とした請求項1に記載の外装材取付金具。
【請求項６】
前記ブラケットの断面形状をロの字型に形成するようにしたブラケット・アジャスター組立体からなる請求項1に記載の外装材取付金具。
【考案の詳細な説明】
【技術分野】
【０００１】
本考案は、外断熱工法における外装材取付金具に関する。
【背景技術】
【０００２】
従来、建築物の断熱方法としては、内断熱工法と外断熱工法の二種類の工法に大別されていた。中でも外断熱工法は、内断熱工法に比べて建築物の長寿命化を図り、四季を通じた暖冷房の効果を上げるなど種々の利点を有するが、尚、いくつかの問題点が残っていた。これらの問題点の解消策の一つとしては、例えば、建築物外壁の通気性を高く保つために縦胴縁等の胴縁材を用いて建築物の通気性を高め、保持することが行なわれている。
【０００３】
しかしながら、外断熱工法にすることにより、必然的に外装材を取り付けるための金物や取付用金具が必要になり、その金物が複雑で、傾斜板等部品の数が多く、取付に多くの手間を要し、断熱材の施工の際には正確に施工を行うことができない等の問題点があった。    
また、重い外装材や、厚い断熱材を使用するときは、必然的に大きなサイズの部材が必要になりがちで、それがまた、大きな熱橋を生み、大きな熱損失を伴う等の問題点もあった。
【０００４】
そこで、これらの問題点を解消するためにいくつかの提案がなされている。
例えば、外装材取り付け縦枠の支持棒固定に必要な円孔の開設作業を不要にするものとして特開２００３−２９３４９７号公報（
【特許文献１】）が提案されている。
【０００５】
しかしながら、この提案は、支持棒、根本用ナット、外方ナット、補強部等の多くの
部材を必要とするから、構造が複雑であるとの問題点を脱却していない。
【０００６】
又、外装材の自重、風圧、地震力等に対する耐荷重性能の発揮を狙った特開２００４−３３５３号公報
【特許文献２】については、
【特許文献１】と同様の問題がある。この提案は、横揺れ防止具、支持棒補強バー等の部材を要するからやはり同様に構造複雑となる。  更に、特公平８−１６８３６号公報
【特許文献３】は、躯体と外装材の距離に関係なく、外装材の重量等をせん断応力だけで受けようとするものである。又、施工時の微細な不陸調整についての対策があまりなされていない等の問題点がある。更に、
【特許文献４】は、外装材の取付施工における装着時の垂直方向保持力を向上させる目的を有するが、外装材のみならず躯体との関係での横方向の保持力をも向上させるには至っていない。
【先行技術文献】
【特許文献】
【０００７】
【特許文献１】特開２００３−２９３４９７公報
【特許文献２】特開２００４−３３５３号公報
【特許文献３】特公平８−１６８３６号
【特許文献４】登録実用新案公報３０６７９５２号
【考案の概要】
【考案が解決しようとする課題】
【０００８】
本考案は、上記の如き各観点に鑑みてなされたものであって、構造簡易で強靭な、かつ、熱橋を少なくし、結露も起こさない、外装材取付金具を得ようとするものである。
【０００９】
本考案の主たる構成は、以下の内容からなるものである。
【課題を解決するための手段】
【００１０】
本考案は、上記のごとき観点に鑑みてこれらの課題を解決すべくなされたものである。上述の目的（課題の解決）を達成するための手段は以下の通りである。
請求項１に記載の考案は、前記課題を解決するために、
ブラケットと、アジャスターとの組み合わせからなる外装材取付金具であって、
前記ブラケットは、全体を下向きコの字型板状体とされ、前記下向きコの字型を構成する三辺として中央天板と両側板とからなる下方開放の板状体に形成されると共に、前記中央天板の下部内側にアジャスター取付ボルトをブラケットの水平方向開放部の一方に向けて一部突き出し状に固着しつつ、コの字型水平方向の他方開放部を閉塞するようにブラケットベースプレートを取り付け、前記ブラケットベースプレートの中央部にブラケット取付ボルトとワッシャとの内ねじアンカーへのはめこみのための貫通孔を設けると共に、
前記アジャスターは、形状全体を横向きコの字型板状体とされ、前記横向きコの字型板状体を構成するものとしてブラケットにアジャスター取付ボルトを介して着脱自在に取付けると共に、前記横向きコの字型板状体は、中央側板と、中央側板の両側に一体成形された両側板とからなり、前記中央側板の中央部にアジャスター取付穴を設けると共に、前記アジャスター取付穴を通ずるアジャスター取付ボルトにボルト、ワッシャ、ナットを介することにより、アジャスターをブラケットにはめこみ一体化する構成とし、ブラケットとアジャスターが連動して位置決めしつつスライド調整するように構成したことを特徴とするブラケット・アジャスター組立体からなる外装材取付金具を提供するものである。
【００１１】
請求項２に記載の考案は、請求項１の考案に加えて、
前記ブラケットを少なくとも一個以上のボルト・ナット又はボルト・スプリングの組み合わせを介して、内ねじアンカーに固定することにより、ブラケット・アジャスター組立体を躯体に固定するようにしてブラケットの過重負荷強度を高めるように構成したブラケット・アジャスター組立体からなる請求項１に記載の外装材取付金具を提供するものである。
【００１２】
請求項３に記載の考案は、請求項１の考案に加えて、
前記アジャスターの横向きコの字型を構成する三辺を中央側板と、中央側板に隣接する両側板とし、前記中央側板の中央部に設けたアジャスター取付穴を横長ほぼ楕円状に形成することにより、アジャスター取付穴を通じてアジャスターの水平方向の移動又は微調整を可能とすることにより、胴縁材とブラケットとの不陸微調整を可能とするようにしたブラケット・アジャスター組立体からなる請求項１又は２に記載の外装材取付金具を提供するものである。
【００１３】
請求項４に記載の考案は、請求項１又は２の考案に加えて、
前記アジャスターの横向きコの字型を構成する三辺を中央側板と、中央側板に隣接する両側板において、前記両側板のそれぞれに大小の穴部を各1個づつ設け、大の穴は横長ほぼ楕円形状とすることにより胴縁仮止め用ビス穴としアジャスターの不陸微調整に用いると共に、小の穴はほぼ円形状として胴縁固定用ビス穴とすることによりアジャスターの固定位置決めさせるようにしたブラケット・アジャスター組立体からなる請求項1又は２項のいずれか１項に記載の外装材取付金具を提供するものである。
【００１４】
請求項５に記載の考案は、請求項１の考案に加えて、
前記ブラケットをステンレス鋼製とした請求項1に記載の外装材取付金具を提供するものである。
【００１５】
請求項６に記載の考案は、請求項１の考案に加えて、
前記ブラケットの断面形状をロの字型に形成するようにしたブラケット・アジャスター組立体からなる請求項1に記載の外装材取付金具を提供するものである。
【００１６】
請求項１に記載の考案は、ブラケットと、アジャスターとの組み合わせからなる外装材取付金具とすることによりブラケットが、外装材の自重、風圧、地震力等に対する耐荷重性能の発揮を果たすと共に、アジャスターがブラケットとの水平方向（ブラケットのお前後方向）の不陸調整と、胴縁との垂直方向の不陸調整をそれぞれ果たすように特徴づけられ構成されている。
【００１７】
請求項２に記載の考案は、請求項１の考案に加えて、躯体に固定するようにしたブラケット・アジャスター組立体を内ねじアンカーに固定することにより外装材の自重、風圧、地震力等に対する耐荷重性能の発揮を更に強固に果たす。躯体に固定するようにしたブラケット・アジャスター組立体を内ねじアンカーに固定するにあたり、インサートアンカーとする。ただし、後施工アンカーとする場合もある。
【００１８】
請求項３に記載の考案は、請求項１又は２の考案に加えて、アジャスターの横向きコの字型三辺を構成する中央側板と、中央側板と隣接する両側板において、前記中央側板の中央部に開設したアジャスター取付穴を横長ほぼ楕円状に形成する。
【００１９】
請求項４に記載の考案は、請求項１の考案に加えて、前記アジャスターの横向きコの字型三辺を構成する中央側板と、中央側板と隣接する両側板において、両側板にそれぞれ大小の穴部を各1個づつ設け、大の穴は横長ほぼ楕円形状とすることにより、胴縁仮止め用ビス穴としアジャスターの不陸微調整に用いるようにし、小の穴はほぼ円形状とすることにより胴縁固定用ビス穴としアジャスターの固定位置決めさせるようにしたブラケット・アジャスター組立体からなる請求項1ないし3項のいずれか１項に記載の外装材取付金具とする。
【００２０】
請求項５に記載の考案は、請求項１の考案に加えて、請求項２に記載の考案を更に具体的に構成するもので、前記ブラケットをステンレス鋼製とした請求項1に記載の外装材取付金具を提供するものである。
【００２１】
請求項６に記載の考案は、請求項１の考案に加えて、考案を更に具体的に構成するもので、前記ブラケットの断面形状をロの字型に形成するようにしたブラケット・アジャスター組立体からなる請求項1に記載の外装材取付金具。
【考案の効果】
【００２２】
本考案に係る外断熱工法における外装材取付金具は以下のような効果を有する。
（１） 請求項１又は２の考案によれば、ブラケット全体の断面積を小とし、ステンレス金物を使用し、点で支えることにより熱損失又は熱伝導率をさげ、熱橋を少なくした。同時に耐腐食性も確保した（耐腐食性効果）。
（２）請求項１又は２の考案によれば、ブラケットのコの字型断面構造の採用により、十分な耐荷重強度を得られ、比較的広範囲の厚さや重量のタイル、石材系外装材などの取り付けを可能とした（耐荷重効果）。
（３） 請求項１ないし４の考案によれば、ブラケット及びアジャスターの形状が単純なので、施工が簡易であり、工期の短縮、コストダウンが可能となった。
（４）請求項１ないし４の考案によれば、断熱材の外側に通気層を設けて室内からの水蒸気を排出し、結露を防止した（防露性を向上させ外断熱工法の利点を高めた）。
（５） 請求項５の考案によれば、断熱材を貫通するブラケットをステンレス製としたことにより、鉄に比べ熱損失が三分の一以下と大幅に低下した。熱橋の発生による熱損失も大幅に低下した。（断熱性の向上効果又は熱損失低下効果）
（６） 請求項１ないし５の考案によれば、アジャスターについては、その中央側板の中央      
開孔により組立体の水平方向不陸調整を図り、その両側板の大小穴部の併用により横方向の不陸調整を図り、ブラケット取付ボルトの組み合わせを介したブラケット・アジャスター組立体の前後方向の移動微調整により前後方向の不陸調整を図ることをそれぞれ可能にした（不陸調整効果）。
（７）請求項１、２、3又は４の考案によれば、ブラケット・アジャスター組立体におけるブラケットとアジャスターの二つのコの字型採用により、さまざまの不陸調整を有効に行なうことが出来る（不陸調整効果）。
（８）請求項１、２、3又は４の考案によれば、アジャスターの活用により全体の強度を保ちながら、躯体とアジャスターの間隔を広めることが可能となることから、断熱材を二層で構成され、断熱効果が向上した（高度断熱性効果）。
【図面の簡単な説明】
【００２３】
【図１】本考案一実施例のブラケットを示す単体形状図である。
【図２】本考案一実施例のアジャスターを示す単体形状図である。
【図３】本考案一実施例の図1ブラケットを躯体のアンカーに据え付けた状態を示す概略図である。
【図４】本考案一実施例におけるブラケットへのアジャスター取付手順を示す概略配置図である。
【図５】本考案一実施例（図４）のブラケットにアジャスターを取付たブラケット・アジャスター組立体の状態図である。
【図６】本考案一実施例のブラケット・アジャスター組立体を胴縁材に取り付けた状態図である。
【図７】本考案一実施例のブラケット・アジャスター組立体を更にアンカーと共に躯体に据え付けた状態の縦断面図である。
【図８】図7の状態の横断面図を示す。
【考案を実施するための最良の形態】
【００２４】
（実施例1）
以下、本考案の外装材取付金具を図面を参照しながら説明する。
図１は、本考案一実施例のブラケットを示す単体形状図であり、図２は、本考案一実施例のアジャスターを示す単体形状図である。図３は、図1のブラケット1を躯体（図示せず。）のアンカー15に据え付けた状態を示す概略配置図である。図4は、アジャスター２のブラケット1への取付け配置又は手順を示す概略配置図である。図5は、図4の取付完了後の図である。図6は、ブラケット・アジャスター組立体の胴縁への取付状態を示す概略配置図である。
図7は、本考案一実施例の胴縁への取付状態を示す縦断面模式図である。図８は、同じく
図7に対応する横断面模式図である。
【００２５】
図１において、ブラケット1は、形状全体を下向きコの字型板状体とされ、前記下向きコの字型を構成するものとして中央天板１Ａと両側板1B,1Cとからなる下方開放の板状体に形成される。下向きコの字型板状体の一方開放部にアジャスター取付ボルト１１を、他方開放部にブラケットベースプレート１２を取り付ける。ブラケットベースプレート１２の中央部には内ねじアンカーを連通するための貫通孔（図示せず）が設けられる。
下向きコの字型板状体の下方開放部にもう1辺を充てるとロの字型（図示せず）とすることが出来る。このロの字型はより強度が与えられる。図２においては、アジャスター２の全体構成が明示される。図２によれば、アジャスター２の胴縁２７への取付に胴縁仮止め用ビス穴２５と、胴縁固定用ビス穴２６とが示される。これら胴縁仮止め用ビス穴２５と胴縁固定用ビス穴２６は、胴縁取付部２３，２４に相互に上下を逆の配置で取り付けられるが、これによりアジャスター２の左右の不陸調整がより広い自由度をもって調整可能となるように構成されている。図２および図６によれば、胴縁取付ビス（仮止め用）２５A、２５Bを用いて胴縁仮止め用ビス穴２５，２５でそれぞれ不陸調整を行ない、不陸調整完了後に胴縁取付ビス（固定用）２６A、２６Bを胴縁固定用ビス穴２６、２６で固定する。もちろん左右の大小調整穴の位置を互い違いとせずに揃えて構成することも可能である。
【００２６】
図3において、ブラケット1は、ブラケット取付ボルト１３により内ねじアンカー１５と固着され、コンクリート躯体に固定される。
図４においてアジャスター（本体）２は、アジャスター取付ボルト１３及びアジャスター取付部２１のアジャスター取付穴２２を介してブラケット１に取付けることによりブラケット・アジャスター組立体として一体化される。アジャスター取付穴２２は、アジャスター２の横方向の不陸調整に調整・活用される。アジャスター２において、胴縁取付部２３，２４は、胴縁固定用ビス穴２５及び胴縁仮止め用ビス穴２６により縦方向の不陸調整に活用される。この不陸調整に当たっては、胴縁仮止め用ビス穴２５でまず、胴縁材の仮の位置決めを行い、次いで位置決め完了後に胴縁固定用ビス穴２６により胴縁材２７をアジャスター２に固定する。図５においては、ブラケット1とアジャスター２は、一体に取り付けられてブラケット・アジャスター組立体を構成した状態が示される。
【００２７】
図4は、ブラケット１へのアジャスター２の取付手順を示す概略配置図である。アジャスター２は、アジャスター取付穴２２を通じてスプリングワッシャ１７、平ワッシャ１８、アジャスター取付ナット１６によってアジャスター取付ボルト１３に取り付けられ、ブラケット１に固着される。
【００２８】
図５は、本考案一実施例（図４）のブラケット１にアジャスター２を取付けたブラケット・アジャスター組立体の組立状態図である。図6は、図5のブラケット・アジャスター組立体を更に胴縁材２７に取り付けた状態図である。図6に示すところによれば、アジャスター2は、アジャスター取付ボルト１１による主に左右の微調整を行なう。すなわち、取付の柔軟性確保の方法としては、アジャスター２の左右方向の位置調整をおこなう。そののち、アンカー１５との位置のズレ調整からブラケット１の取付面の傾き不陸調整なども行なう。
コンクリート躯体と胴縁材２７の間の距離調整を可能とするために、アジャスター2は、縦方向、横方向の微調整の他に、コンクリート躯体との胴縁材２７との距離の微調整を行なうことが可能となる構成としてある。すなわち、取付の柔軟性確保の別の方法としては、胴縁２７の傾き調整として、ブラケット１の取付面の傾き調整を行うこともできる。
【００２９】
図７は、図5のブラケット・アジャスター組立体を更にアンカー１５と共に躯体に据え付けた状態の縦断面図である。図7において、建物の内側からコンクリート躯体、断熱材（1層目）２８、断熱材（２層目）２９、胴縁材２７、通気層３、外装材４として構成される。図７では、断熱材（1層目）と断熱材（２層目）とを構成したが、断熱材を適宜１層のみとすることも可能である。
【００３０】
図８は、図7における横断状態の断面図を示す。これにより、躯体、ブラケット１、アジャスター２、胴縁材２７、内ねじアンカー１５等の相互配置関係が明瞭に示される。
図7、図8においては内ねじアンカー１５としてあるが、インサートアンカーとすることも可能である。
【００３１】
（実施例２）
ブラケット１の断面形状をロの字型（図示せず）に形成するようにしたブラケット・アジャスター組立体からなる請求項1の外装材取付金具（図示せず）である。実施例１においてはブラケット本体の断面形状をコの字型に構成したものである。実施例２においては、
ブラケット本体の断面形状をロの字型を構成するようにしたことにより、耐負荷荷重強度を更に高めることを可能にしたものである。
【符号の説明】
【００３２】
１  ブラケット本体
１１  アジャスター取付ボルト
１２  ブラケットベースプレート
１３  ブラケット取付ボルト
１４  スプリングワッシャ
１５  内ねじアンカー
１６  ナット（アジャスター取付ナット）
１７  スプリングワッシャ
１８  平ワッシャ
２  アジャスター本体
２１  アジャスター取り付け部
２２  アジャスター取付穴  
２３，２４  胴縁取付部
２５  胴縁仮止め用ビス穴
２６  胴縁固定用ビス穴
２７  胴縁材
２５Ａ  胴縁取付ビス（仮止め用）
２６Ａ  胴縁取付ビス（固定用）
２５Ｂ  胴縁取付ビス（仮止め用）
２６Ｂ  胴縁取付ビス（固定用）
２７    胴縁材
２８  断熱材（１層目）
２９  断熱材（２層目）
３  通気層
４  外装材
【図１】
0003164014.tif 000003
【図２】
0003164014.tif 000004
【図３】
0003164014.tif 000005
【図４】
0003164014.tif 000006
【図５】
0003164014.tif 000007
【図６】
0003164014.tif 000008
【図７】
0003164014.tif 000009
【図８】
0003164014.tif 000010